(57)【要約】【課題】  一人又は一組の実演家の実演する著作物が複数あっても、複数の実演家の実演する著作物であっても、顧客の好みの著作物のみを１枚に記録した記録媒体が得られる。【解決手段】  ウェブサーバ１３は、顧客１，２が顧客用端末機１ａ，２ａによりインターネット１９を介して試視聴するための複数の著作物の試視聴ファイル１１ａを記録した試視聴用メモリ１１と、顧客の注文した著作物名１２ａ及び顧客の宛名１２ｂを含む顧客情報を記録した顧客情報用メモリ１２とを有する。データサーバ１７は、試視聴用メモリに記録された複数の著作物の試視聴ファイルに対応する原視聴ファイル１４ａをそれぞれ記録した原視聴用メモリ１４を有する。処理コンピュータ１８は、顧客情報用メモリに記録された顧客情報に基づいて、原視聴用メモリから１又は２以上の著作物の原視聴ファイルを取込んで記録媒体２１に記録し、更に顧客の宛名を宛名表示部材２３に印刷する。【選択図】  図１
2005190371.tif 000002
【特許請求の範囲】
【請求項１】
顧客(1,2)が顧客用端末機(1a,2a)によりインターネット(19)を介して試視聴するための複数の著作物の試視聴ファイル(11a)をデータベースとして記録した試視聴用メモリ(11)と前記顧客(1,2)の注文した著作物名(12a)及び前記顧客の宛名(12b)を含む顧客情報を記録した顧客情報用メモリ(12)とを有するウェブサーバ(13)と、
前記試視聴用メモリ(11)に記録された複数の著作物の試視聴ファイル(11a)に対応する原視聴ファイル(14a)をデータベースとしてそれぞれ記録した原視聴用メモリ(14)を有するデータサーバ(17)と、
前記顧客情報用メモリ(12)に記録された顧客情報に基づいて前記原視聴用メモリ(14)から１又は２以上の著作物の原視聴ファイル(14a)を取込んで記録媒体(21)に記録し更に前記顧客の宛名(12b)を宛名表示部材(23)に印刷する処理コンピュータ(18)と
を備えた著作物の記録媒体をインターネットを介して販売するシステム。
【請求項２】
複数の著作物が複数の実演家の実演する１又は２以上の楽曲であり、
試視聴用メモリ(11)に前記複数の楽曲の試視聴ファイル(11a)がデータベースとして記録され、
原視聴用メモリ(14)に前記複数の楽曲の原視聴ファイル(14a)がデータベースとして記録され、
顧客(1,2)が前記試視聴用メモリ(11)から自分の好む１又は２以上の実演家を選択した後に、前記実演家の実演する１又は２以上の楽曲の試視聴ファイル(11a)を選択するように構成された請求項１記載の著作物の記録媒体をインターネットを介して販売するシステム。
【請求項３】
複数の著作物が複数の実演家の実演する１又は２以上の動画付き楽曲であり、
試視聴用メモリ(11)に前記複数の動画付き楽曲の試視聴ファイル(51a)がデータベースとして記録され、
原視聴用メモリ(14)に前記複数の動画付き楽曲の原視聴ファイル(54a)がデータベースとして記録され、
顧客(1,2)が前記試視聴用メモリ(11)から自分の好む１又は２以上の実演家を選択した後に、前記実演家の実演する１又は２以上の動画付き楽曲の試視聴ファイル(51a)を選択するように構成された請求項１記載の著作物の記録媒体をインターネットを介して販売するシステム。
【請求項４】
複数の著作物が複数の実演家の実演する１又は２以上の静止画付き楽曲であり、
試視聴用メモリに前記複数の静止画付き楽曲の試視聴ファイルがデータベースとして記録され、
原視聴用メモリに前記複数の静止画付き楽曲の原視聴ファイルがデータベースとして記録され、
顧客が前記試視聴用メモリから自分の好む１又は２以上の実演家を選択した後に、前記実演家の実演する１又は２以上の静止画付き楽曲の試視聴ファイルを選択するように構成された請求項１記載の著作物の記録媒体をインターネットを介して販売するシステム。
【請求項５】
データサーバ(17)が原視聴用メモリ(14)に記録された複数の楽曲の原視聴ファイル(14a)に対応する複数の歌詞ファイル(16a)をデータベースとしてそれぞれ記録した歌詞用メモリ(16)を更に有し、
処理コンピュータ(18)が顧客情報用メモリ(12)に記録された顧客情報に基づいて更に前記原視聴用メモリ(14)から取込まれた楽曲の原視聴ファイル(14a)に対応する歌詞ファイル(16a)を前記歌詞用メモリ(16)から取込んで歌詞印刷物(22)を作製する請求項２記載の著作物の記録媒体をインターネットを介して販売するシステム。
【請求項６】
データサーバ(17)が原視聴用メモリ(14)に記録された複数の動画付き楽曲の原視聴ファイル(54a)に対応する複数の歌詞ファイル(56a)をデータベースとしてそれぞれ記録した歌詞用メモリ(16)を更に有し、
処理コンピュータ(18)が顧客情報用メモリ(12)に記録された顧客情報に基づいて更に前記原視聴用メモリ(14)から取込まれた動画付き楽曲の原視聴ファイル(54a)に対応する歌詞ファイル(56a)を前記歌詞用メモリ(16)から取込んで歌詞印刷物(62)を作製する請求項３記載の著作物の記録媒体をインターネットを介して販売するシステム。
【請求項７】
データサーバが原視聴用メモリに記録された複数の静止画付き楽曲の原視聴ファイルに対応する複数の歌詞ファイルをデータベースとしてそれぞれ記録した歌詞用メモリを更に有し、
処理コンピュータが顧客情報用メモリに記録された顧客情報に基づいて更に前記原視聴用メモリから取込まれた静止画付き楽曲の原視聴ファイルに対応する歌詞ファイルを前記歌詞用メモリから取込んで歌詞印刷物を作製する請求項４記載の著作物の記録媒体をインターネットを介して販売するシステム。
【請求項８】
顧客用端末機(1a,2a)が、パーソナルコンピュータ、携帯電話、家庭用ゲーム機、ＰＤＡ、Ｗｅｂ−ＴＶ又はＥＷＳのいずれかである請求項１記載の著作物の記録媒体をインターネットを介して販売するシステム。
【請求項９】
宛名表示部材(23)が、タックシール、封筒又は荷札のいずれかである請求項１記載の著作物の記録媒体をインターネットを介して販売するシステム。
【請求項１０】
請求項１ないし９いずれか１項に記載されたシステムにより作製されて販売された記録媒体。
【発明の詳細な説明】
【技術分野】
【０００１】
本発明は、アマチュアバンドなどの実演家が実演する楽曲、動画付き楽曲、静止画付き楽曲等の著作物のうち顧客の好む楽曲等の注文をインターネットを介して受け、その注文された楽曲だけをＣＤ−ＲやＤＶＤ−Ｒ等の記録媒体に記録して販売するシステムと、その記録媒体に関するものである。
【背景技術】
【０００２】
従来、この種の販売システムとして、サーバの仮想ＣＤファイルにその時点で発売されている曲データと歌詞カードデータとＣＤジャケットデータとを蓄積し、これらのデータをインターネットのホームページから個別にダウロードさせて販売する、インターネットによる音楽ＣＤの個別販売方法（例えば、特許文献１参照。）が開示されている。
このように構成されたインターネットによる音楽ＣＤの個別販売方法では、顧客が自分のパーソナルコンピュータからインターネットを通じて所定のホームページに接続し、サーバに蓄積された仮想ＣＤファイルの曲データ、歌詞カードデータ及びＣＤジャケットデータの中から、購入したいものだけをダウンロードした後に、自分のＣＤ−Ｒ／ＲＷドライブによりＣＤ−Ｒ又はＣＤ−ＲＷに記録する。この結果、顧客は音楽ＣＤ販売店に出向かずに発売日にすぐにＣＤを購入でき、売り切れを見越した予約をする必要がなくなる。また音楽ＣＤの製作販売を行う供給側は、販売予定枚数のアルバムやシングルの音楽ＣＤをプレスする必要がなくなるとともに、ＣＤジャケットや歌詞カードを印刷する必要がなくなり、大幅にコストを低減できるようになっている。
【特許文献１】特開２００３−１５７０８６号公報（請求項１、明細書［０００８］〜［００１１］）
【発明の開示】
【発明が解決しようとする課題】
【０００３】
しかし、上記従来の特許文献１に示されたインターネットによる音楽ＣＤの個別販売方法では、アルバムＣＤやシングルＣＤをサーバの仮想ＣＤファイルに蓄積しているため、例えば１つのアルバムＣＤに複数の楽曲が含まれる場合、そのアルバムＣＤの一部の曲データのみをダウンロードすることはできず、必要としない曲データを含むアルバムＣＤの全ての曲データをダウンロードしなければならない不具合があった。
また、上記従来の特許文献１に示されたインターネットによる音楽ＣＤの個別販売方法では、ダウンロードした曲データをＣＤ−Ｒ等に記録するためのＣＤ−Ｒ／ＲＷドライブや、歌詞カードデータ及びＣＤジャケットデータを印刷するためのプリンタを所有していない場合には、これらの機器を購入しなければならず、顧客にとっては却って高価なものになる問題点があった。
また、上記従来の特許文献１に示されたインターネットによる音楽ＣＤの個別販売方法では、インターネット・ブラウザ機能を備えた携帯電話からインターネットを介して所定のホームページに接続しても、比較的小さな容量の記録媒体しか備えておらず、仮想ＣＤファイルに記録された大きな容量の曲データをダウンロードできない問題点もあった。
更に、上記従来の特許文献１に示されたインターネットによる音楽ＣＤの個別販売方法では、曲データがインターネットに接続されたサーバに蓄積されているため、商品である曲データ（原曲）がサーバへの不正アクセスにより盗まれるおそれがあった。
【０００４】
本発明の第１の目的は、一人又は一組の実演家の実演する著作物が複数あっても、顧客の好みの著作物のみが記録された記録媒体を得ることができるとともに、複数の実演家の実演する著作物であっても、それらの著作物を１枚に記録した記録媒体を得ることができる、著作物の記録媒体をインターネットを介して販売するシステムを提供することにある。
本発明の第２の目的は、楽曲の実演等の著作物をＣＤ−Ｒ等の記録媒体に記録するためのＣＤ−Ｒ／ＲＷドライブや、歌詞を印刷するためのプリンタを所持していなくても、所望の楽曲の実演等の著作物を記録した記録媒体や、歌詞印刷物を得ることができる、著作物の記録媒体をインターネットを介して販売するシステムを提供することにある。
本発明の第３の目的は、比較的記録容量の小さい携帯電話等からもインターネットを介してウェブサーバに接続して、所望の楽曲の実演等の著作物が記録された記録媒体を注文できる、著作物の記録媒体をインターネットを介して販売するシステムを提供することにある。
本発明の第４の目的は、インターネットを介する不正アクセスがあっても、原視聴ファイルを盗まれない、著作物の記録媒体をインターネットを介して販売するシステムを提供することにある。
【課題を解決するための手段】
【０００５】
請求項１に係る発明は、図１に示すように、顧客１，２が顧客用端末機１ａ，２ａによりインターネット１９を介して試視聴するための複数の著作物の試視聴ファイル１１ａをデータベースとして記録した試視聴用メモリ１１と顧客１，２の注文した著作物名１２ａ及び顧客の宛名１２ｂを含む顧客情報を記録した顧客情報用メモリ１２とを有するウェブサーバ１３と、試視聴用メモリ１１に記録された複数の著作物の試視聴ファイル１１ａに対応する原視聴ファイル１４ａをデータベースとしてそれぞれ記録した原視聴用メモリ１４を有するデータサーバ１７と、顧客情報用メモリ１２に記録された顧客情報に基づいて原視聴用メモリ１４から１又は２以上の著作物の原視聴ファイル１４ａを取込んで記録媒体２１に記録し更に顧客の宛名１２ｂを宛名表示部材２３に印刷する処理コンピュータ１８とを備えた著作物の記録媒体をインターネットを介して販売するシステムである。
【０００６】
この請求項１に記載された著作物の記録媒体をインターネットを介して販売するシステムでは、先ず顧客１が顧客用端末機１ａからインターネット１９を介してウェブサーバ１３に接続し、試視聴用メモリ１１から自分の好む実演家Ａ〜Ｃを選択した後に、これらの実演家Ａ〜Ｃの実演する著作物の試視聴ファイルＡ１、Ｂ２及びＣ３の著作物名を選択してウェブサーバ１３に送信する。次いで顧客１が注文の出揃ったことの意思表示を、顧客の宛名１２ｂとともにウェブサーバ１３に送信すると、ウェブサーバ１３は注文著作物名１２ａ及び顧客の宛名１２ｂを顧客情報用メモリ１２に記録した後に、注文完了のＥメールを顧客１に送信する。次に顧客１からの記録媒体２１を購入するための代金の振り込み又は引き落としを、本発明の販売システムを運営する事業者が確認した後に、事業者がその情報を処理コンピュータ１８に入力すると、処理コンピュータ１８は顧客情報用メモリ１２に記録された注文著作物名１２ａに基づいて、データサーバ１７の原視聴用メモリ１４から注文著作物の原視聴ファイル１４ａを取込み、これらの原視聴ファイル１４ａを記録媒体２１に記録する。また処理コンピュータ１８は顧客情報用メモリ１２に記録された顧客の宛名１２ｂを取込み、この顧客の宛名１２ｂを宛名表示部材２３に印刷する。更に上記事業者は、上記記録媒体２１をジャケットに梱包した後に、このジャケットを封筒等に入れ、更にこの封筒等の表面に宛名表示部材２３を貼付して顧客１宛に発送する。
【０００７】
なお、図１に示すように、複数の著作物が複数の実演家の実演する１又は２以上の楽曲であり、試視聴用メモリ１１に複数の楽曲の試視聴ファイル１１ａがデータベースとして記録され、原視聴用メモリ１４に複数の楽曲の原視聴ファイル１４ａがデータベースとして記録され、顧客１，２が試視聴用メモリ１１から自分の好む１又は２以上の実演家を選択した後に、これらの実演家の実演する１又は２以上の楽曲の試視聴ファイル１１ａを選択するように構成してもよい。
また、図４に示すように、複数の著作物が複数の実演家の実演する１又は２以上の動画付き楽曲であり、試視聴用メモリ１１に複数の動画付き楽曲の試視聴ファイル５１ａがデータベースとして記録され、原視聴用メモリ１４に複数の動画付き楽曲の原視聴ファイル５４ａがデータベースとして記録され、顧客１，２が試視聴用メモリ１１から自分の好む１又は２以上の実演家を選択した後に、これらの実演家の実演する１又は２以上の動画付き楽曲の試視聴ファイル５１ａを選択するように構成することができる。
更に、複数の著作物が複数の実演家の実演する１又は２以上の静止画付き楽曲であり、試視聴用メモリに複数の静止画付き楽曲の試視聴ファイルがデータベースとして記録され、原視聴用メモリに複数の静止画付き楽曲の原視聴ファイルがデータベースとして記録され、顧客が試視聴用メモリから自分の好む１又は２以上の実演家を選択した後に、これらの実演家の実演する１又は２以上の静止画付き楽曲の試視聴ファイルを選択するように構成することもできる。
【０００８】
請求項５に係る発明は、請求項２に係る発明であって、更に図１に示すように、データサーバ１７が原視聴用メモリ１４に記録された複数の楽曲の原視聴ファイル１４ａに対応する複数の歌詞ファイル１６ａをデータベースとしてそれぞれ記録した歌詞用メモリ１６を更に有し、処理コンピュータ１８が顧客情報用メモリ１２に記録された顧客情報に基づいて更に原視聴用メモリ１４から取込まれた楽曲の原視聴ファイル１４ａに対応する歌詞ファイル１６ａを歌詞用メモリ１６から取込んで歌詞印刷物２２を作製することを特徴とする。
この請求項５に記載された著作物の記録媒体をインターネットを介して販売するシステムでは、先ず顧客１が顧客用端末機１ａからインターネット１９を介してウェブサーバ１３に接続し、試視聴用メモリ１１から自分の好む実演家Ａ〜Ｃを選択した後に、これらの実演家Ａ〜Ｃの実演する楽曲の試視聴ファイルＡ１、Ｂ２及びＣ３の楽曲名を選択してウェブサーバ１３に送信する。次いで顧客１が注文の出揃ったことの意思表示を、顧客の宛名１２ｂとともにウェブサーバ１３に送信すると、ウェブサーバ１３は注文楽曲名１２ａ及び顧客の宛名１２ｂを顧客情報用メモリ１２に記録した後に、注文完了のＥメールを顧客１に送信する。次に顧客１からの記録媒体２１購入ための代金の振り込み又は引き落としを、本発明の販売システムを運営する事業者が確認した後に、事業者がその情報を処理コンピュータ１８に入力すると、処理コンピュータ１８は顧客情報用メモリ１２に記録された注文楽曲名１２ａに基づいて、データサーバ１７の原視聴用メモリ１４から注文楽曲の原視聴ファイル１４ａを取込むとともに、注文楽曲の歌詞ファイル１６ａを取込む。そして処理コンピュータ１８は原視聴ファイル１４ａを記録媒体２１に記録するとともに、歌詞印刷物２２を作製する。また処理コンピュータ１８は顧客情報用メモリ１２に記録された顧客の宛名１２ｂを取込み、顧客の宛名１２ｂを宛名表示部材２３に印刷する。更に上記事業者は、上記記録媒体２１と歌詞印刷物２２をジャケットに梱包した後に、このジャケットを封筒等に入れ、更にこの封筒の表面に宛名表示部材２３を貼付して顧客１宛に発送する。
【０００９】
請求項６に係る発明は、請求項３に係る発明であって、更に図４に示すように、データサーバ１７が原視聴用メモリ１４に記録された複数の動画付き楽曲の原視聴ファイル５４ａに対応する複数の歌詞ファイル５６ａをデータベースとしてそれぞれ記録した歌詞用メモリ１６を更に有し、処理コンピュータ１８が顧客情報用メモリ１２に記録された顧客情報に基づいて更に原視聴用メモリ１４から取込まれた動画付き楽曲の原視聴ファイル５４ａに対応する歌詞ファイル５６ａを歌詞用メモリ１６から取込んで歌詞印刷物６２を作製することを特徴とする。
この請求項６に記載された著作物の記録媒体をインターネットを介して販売するシステムでは、先ず顧客１が顧客用端末機１ａからインターネット１９を介してウェブサーバ１３に接続し、試視聴用メモリ１１から自分の好む実演家Ｘ〜Ｚを選択した後に、これらの実演家Ｘ〜Ｚの実演する動画付き楽曲の試視聴ファイルＸ１、Ｙ２及びＺ３の動画付き楽曲名を選択してウェブサーバ１３に送信する。次いで顧客１が注文の出揃ったことの意思表示を、顧客の宛名１２ｂとともにウェブサーバ１３に送信すると、ウェブサーバ１３は注文された動画付き楽曲名５２ａ及び顧客の宛名１２ｂを顧客情報用メモリ１２に記録した後に、注文完了のＥメールを顧客１に送信する。次に顧客１からの記録媒体６１購入ための代金の振り込み又は引き落としを、本発明の販売システムを運営する事業者が確認した後に、事業者がその情報を処理コンピュータ１８に入力すると、処理コンピュータ１８は注文されて顧客情報用メモリ１２に記録された動画付き楽曲名５２ａに基づいて、データサーバ１７の原視聴用メモリ１４から上記注文された動画付き楽曲の原視聴ファイル５４ａを取込むとともに、上記注文された動画付き楽曲の歌詞ファイル５６ａを取込む。そして処理コンピュータ１８は原視聴ファイル５４ａを記録媒体６１に記録するとともに、歌詞印刷物６２を作製する。また処理コンピュータ１８は顧客情報用メモリ１２に記録された顧客の宛名１２ｂを取込み、顧客の宛名１２ｂを宛名表示部材２３に印刷する。更に上記事業者は、上記記録媒体６１と歌詞印刷物６２をジャケットに梱包した後に、このジャケットを封筒等に入れ、更にこの封筒の表面に宛名表示部材２３を貼付して顧客２宛に発送する。
【００１０】
請求項７に係る発明は、請求項４に係る発明であって、データサーバが原視聴用メモリに記録された複数の静止画付き楽曲の原視聴ファイルに対応する複数の歌詞ファイルをデータベースとしてそれぞれ記録した歌詞用メモリを更に有し、処理コンピュータが顧客情報用メモリに記録された顧客情報に基づいて更に原視聴用メモリから取込まれた静止画付き楽曲の原視聴ファイルに対応する歌詞ファイルを歌詞用メモリから取込んで歌詞印刷物を作製することを特徴とする。
この請求項７に記載された著作物の記録媒体をインターネットを介して販売するシステムでは、先ず顧客が顧客用端末機からインターネットを介してウェブサーバに接続し、試視聴用メモリから自分の好む実演家を選択した後に、これらの実演家の実演する静止画付き楽曲の試視聴ファイルの静止画付き楽曲名を選択してウェブサーバに送信する。次いで顧客が注文の出揃ったことの意思表示を、顧客の宛名とともにウェブサーバに送信すると、ウェブサーバは注文された静止画付き楽曲名及び顧客の宛名を顧客情報用メモリに記録した後に、注文完了のＥメールを顧客に送信する。次に顧客からの記録媒体購入ための代金の振り込み又は引き落としを、本発明の販売システムを運営する事業者が確認した後に、事業者がその情報を処理コンピュータに入力すると、処理コンピュータは注文されて顧客情報用メモリに記録された静止画付き楽曲名に基づいて、データサーバの原視聴用メモリから上記注文された静止画付き楽曲の原視聴ファイルを取込むとともに、上記注文された静止画付き楽曲の歌詞ファイルを取込む。そして処理コンピュータは原視聴ファイルを記録媒体に記録するとともに、歌詞印刷物を作製する。また処理コンピュータは顧客情報用メモリに記録された顧客の宛名を取込み、顧客の宛名を宛名表示部材に印刷する。更に上記事業者は、上記記録媒体と歌詞印刷物をジャケットに梱包した後に、このジャケットを封筒等に入れ、更にこの封筒の表面に宛名表示部材を貼付して顧客宛に発送する。
【００１１】
また顧客用端末機１ａ，２ａは、パーソナルコンピュータ、携帯電話、家庭用ゲーム機、ＰＤＡ、Ｗｅｂ−ＴＶ又はＥＷＳのいずれでもよく、宛名表示部材２３は、タックシール、封筒又は荷札のいずれでもよい。
請求項１０に係る発明は、請求項１ないし９いずれか１項に記載されたシステムにより作製されて販売された記録媒体である。
この請求項１０に記載された記録媒体は、不要の著作物の実演が全くない顧客にとって最良の記録媒体となる。
【発明の効果】
【００１２】
以上述べたように、本発明によれば、顧客が顧客用端末機によりインターネットを介して試視聴するための複数の著作物の試視聴ファイルをウェブサーバの試視聴用メモリに記録し、顧客の注文した著作物名及び顧客の宛名を含む顧客情報をウエブサーバの顧客情報用メモリに記録し、上記試視聴ファイルに対応する原視聴ファイルをデータサーバの原視聴用メモリにそれぞれ記録し、処理コンピュータが顧客情報用メモリに記録された顧客情報に基づいて原視聴用メモリから著作物の原視聴ファイルを取込んで記録媒体に記録し更に顧客の宛名を宛名表示部材に印刷するので、一人又は一組の実演家の実演する著作物が複数あっても、顧客の好みの著作物のみが記録された記録媒体を得ることができるとともに、複数の実演家の実演する著作物であっても、それらの著作物を１枚に記録した記録媒体を得ることができる。
また著作物をＣＤ−Ｒ等の記録媒体に記録するためのＣＤ−Ｒ／ＲＷドライブや、歌詞を印刷するためのプリンタを所持していなくても、所望の著作物を記録した記録媒体や、歌詞印刷物を得ることができ、比較的記録容量の小さい携帯電話等からも、インターネットを介してウェブサーバに接続して、所望の著作物が記録された記録媒体を注文できるとともに、インターネットを介する不正アクセスがあった場合、ウェブサーバの試視聴用メモリに記録された試視聴ファイルが盗まれることはあっても、データベースがインターネットに接続されていないため、データサーバの原視聴用メモリに記録された商品である原視聴ファイルが盗まれることはない。
【００１３】
また複数の著作物が複数の実演家の実演する楽曲、動画付き楽曲又は静止画付き楽曲であり、試視聴用メモリに複数の楽曲等の試視聴ファイルを記録し、原視聴用メモリに複数の楽曲等の原視聴ファイルを記録し、顧客が試視聴用メモリから自分の好む実演家を選択した後に、これらの実演家の実演する楽曲等の試視聴ファイルを選択するように構成すれば、顧客は自分の好みの楽曲等の実演のみを得ることができる。
またデータサーバが原視聴用メモリに記録された複数の楽曲、動画付き楽曲又は静止画付き楽曲の原視聴ファイルに対応する複数の歌詞ファイルをそれぞれ記録した歌詞用メモリを更に有し、処理コンピュータが顧客情報用メモリに記録された顧客情報に基づいて更に原視聴用メモリから取込まれた楽曲等の原視聴ファイルに対応する歌詞ファイルを歌詞用メモリから取込んで歌詞印刷物を作製すれば、顧客は、記録媒体のみならず、この記録媒体に記録された楽曲等の実演の歌詞ファイルの歌詞印刷物を得ることができる。
更に上記システムにより作製されて販売された記録媒体は、顧客の好まない著作物を全く含まない最も好ましい記録媒体となる。
【発明を実施するための最良の形態】
【００１４】
次に本発明を実施するための最良の形態を図面に基づいて説明する。
＜第１の実施の形態＞
図１に示すように、本発明の販売システムは、試視聴用メモリ１１と顧客情報用メモリ１２とを有するウェブサーバ１３と、原視聴用メモリ１４と歌詞用メモリ１６とを有するデータサーバ１７と、ウェブサーバ１３及びデータサーバ１７を制御する処理コンピュータ１８とを備える。ウェブサーバ１３はインターネット１９に接続され、試視聴用メモリ１１には、顧客１，２がパーソナルコンピュータ１ａ，２ａによりインターネット１９を介して試視聴するための複数の楽曲の試視聴ファイル１１ａがデータベースとして記録される。この実施の形態では、試視聴用メモリ１１には、３組のアマチュアバンドである第１、第２及び第３実演家Ａ、Ｂ及びＣが実演する楽曲の試視聴ファイル１１ａが３曲ずつ記録される。第１実演家Ａの実演する３つの楽曲の試視聴ファイル１１ａをそれぞれＡ１〜Ａ３とし、第２実演家Ｂの実演する３つの楽曲の試視聴ファイル１１ａをそれぞれＢ１〜Ｂ３とし、第３実演家の実演する３つの楽曲の試視聴ファイル１１ａをそれぞれＣ１〜Ｃ３とする。これらの試視聴ファイル１１ａは顧客１，２が試しに聴くものであるため、楽曲の一部（魅力的な部分又は主旋律など）の実演のみが記録される。
【００１５】
なお、この実施の形態では、顧客用端末機としてパーソナルコンピュータを挙げたが、インターネット・ブラウザ機能を備えた端末機であれば、携帯電話、家庭用ゲーム機，ＰＤＡ（Personal Degital Assistant），Ｗｅｂ−ＴＶ（Web−Television）又はＥＷＳ（Engineering Work・Station）でもよい。
また、この実施の形態では、実演家として３組のアマチュアバンドを挙げたが、２組又は４組以上のアマチュアバンドでもよく、アマチュアバンドではなく、実演家であればプロフェッショナルバンド、歌手、楽器の演奏者などでもよい。
更に、この実施の形態では、実演家であるアマチュアバンドが楽曲の試視聴ファイルを試視聴用メモリに３曲ずつそれぞれ記録したが、１曲、２曲又は４曲以上記録してもよい。
【００１６】
顧客情報用メモリ１２には、顧客１，２がパーソナルコンピュータ１ａ，２ａからインターネット１９を介して注文した楽曲名１２ａと、顧客１，２の住所及び氏名からなる宛名１２ｂとを含む顧客情報が記録される。顧客情報には、上記以外に顧客の年齢、職業、電話番号、Ｅメールアドレスなどを含めてもよい。また原視聴用メモリ１４には、試視聴用メモリ１１に記録された複数の楽曲の試視聴ファイル１１ａに対応する原視聴ファイル１４ａがデータベースとしてそれぞれ記録される。原視聴ファイル１４ａには、楽曲の一部の実演ではなく楽曲の全ての実演が記録される。更に歌詞用メモリ１６には、原視聴用メモリ１４に記録された複数の楽曲の原視聴ファイル１４ａに対応する複数の歌詞ファイル１６ａがデータベースとしてそれぞれ記録される。一方、処理コンピュータ１８の制御出力には、楽曲の原視聴ファイル１４ａをＣＤ−Ｒ２１に記録するためのＣＤ−Ｒ／ＲＷドライブ（図示せず）と、印刷物を印刷するためのプリンタ（図示せず）が接続される。なお、この実施の形態では、宛名表示部材としてタックシールを挙げたが、封筒又は宅配便等に用いられる荷札でもよい。また、この実施の形態では、記録媒体としてＣＤ−Ｒを挙げたが、ＣＤ−ＲＷ、ＭＤ、ＤＶＤ−Ｒ、ＤＶＤ−ＲＷ、ＤＶＤ−ＲＡＭ又はその他の記録媒体でもよい。この場合、記録媒体を変更すれば、その記録媒体に記録するドライブも変更する必要がある。
【００１７】
このように構成された楽曲のＣＤ−Ｒをインターネットを介して販売するシステムの動作を図１〜図３に基づいて説明する。
顧客１は自分のパーソナルコンピュータ１ａからインターネット１９を介してウェブサーバ１３に接続した後に、好みのアマチュアバンドＡを選択し、そのアマチュアバンドＡの演奏する３つの楽曲の試視聴ファイルＡ１〜Ａ３を順に選択して試聴する。このときウェブサーバ１３は顧客１の選択した楽曲の試視聴ファイルＡ１〜Ａ３を試視聴用メモリ１１から取込んで、顧客１の選択した楽曲の一部（魅力的な部分又は主旋律など）の演奏を顧客１のパーソナルコンピュータ１ａにダウンロードして顧客１に試聴させる。上記３つの楽曲の実演を試聴した顧客１は上記３つの楽曲のうち好みの楽曲の試視聴ファイルＡ１の楽曲名を選択してパーソナルコンピュータ１ａのモニタ上のカゴに入れる。なお、上記試視聴ファイルは楽曲の一部の実演であるため、携帯電話等の記録容量の比較的小さい顧客用端末であっても一時的にダウンロードできる。
【００１８】
顧客１は他の好みのアマチュアバンドＢを選択し、そのアマチュアバンドＢの演奏する３つの楽曲を順に選んで試聴すると、ウェブサーバ１３は顧客１の選択した楽曲の試視聴ファイルＢ１〜Ｂ３を試視聴用メモリ１１から取込んで、顧客１の選択した楽曲の一部（魅力的な部分又は主旋律など）の演奏を顧客１のパーソナルコンピュータ１ａにダウンロードして顧客１に試聴させる。上記３つの楽曲の実演を試聴した顧客１は上記３つの楽曲のうち好みの楽曲の試視聴ファイルＢ２の楽曲名を選択してパーソナルコンピュータ１ａのモニタ上のカゴに入れる。
【００１９】
顧客１は更に他の好みのアマチュアバンドＣを選択し、そのアマチュアバンドＣの演奏する３つの楽曲を順に選んで試聴すると、ウェブサーバ１３は顧客１の選択した楽曲の試視聴ファイルＣ１〜Ｃ３を試視聴用メモリ１１から取込んで、顧客１の選択した楽曲の一部（魅力的な部分又は主旋律など）の演奏を顧客１のパーソナルコンピュータ１ａにダウンロードして顧客１に試聴させる。上記３つの楽曲の実演を試聴した顧客１は上記３つの楽曲のうち好みの楽曲の試視聴ファイルＣ３の楽曲名を選択してパーソナルコンピュータ１ａのモニタ上のカゴに入れる。
【００２０】
以上で注文が出揃ったことを顧客１がモニタ上で意思表示したとき、ウェブサーバ１３は注文楽曲名１２ａの一覧表をモニタに表示する。顧客１はこの一覧表を見て自分の好みに合わせて楽曲名１２ａの順序を入れ替えた後に、モニタ上の確認ボタンをクリックする。顧客１のこの操作によりウェブサーバ１３は上記楽曲を記録したＣＤ−Ｒ２１を注文するかどうかという質問をモニタ上に表示する。顧客１が注文ボタンをクリックすると、ウェブサーバ１３は顧客１の住所及び氏名からなる宛名、顧客の年齢、職業、電話番号、Ｅメールアドレスを記入する欄をモニタ上に表示する。顧客１はこれらの欄に自分の宛名１２ｂ等を記入した後に、注文ボタンを押すと、ウェブサーバ１３は顧客の宛名１２ｂ等の情報を注文した楽曲名１２ａとともに顧客情報用メモリ１２に記録した後に、注文完了のＥメールを顧客１に送信する。
【００２１】
同時に、処理コンピュータ１８はウェブサーバ１３の顧客情報用メモリ１２に記憶された顧客情報を取込み、プリンタを制御して請求書に顧客の宛名１２ｂを印刷する。本発明の販売システムを運営する事業者はこの請求書を郵便にて発送する。この請求書を受取った顧客１はＣＤ−Ｒ２１購入のための代金を指定の金融機関に振り込む。事業者が上記代金の振り込みを確認してこの情報を処理コンピュータ１８に入力すると、処理コンピュータ１８は顧客情報用メモリ１２に記録された注文楽曲名１２ａに基づいて、データサーバ１７の原視聴用メモリ１４から注文楽曲の原視聴ファイル１４ａを取込むとともに、注文楽曲の歌詞ファイル１６ａを取込む。なお、この実施の形態では、処理コンピュータが請求書を作製し、事業者がこの請求書を顧客に発送して代金の振り込みを確認したときに、次のＣＤ−Ｒの作製を開始したが、顧客がパーソナルコンピュータから自分のクレジットカードの登録番号等をウェブサーバに送信し、事業者が上記クレジットカードの情報によりＣＤ−Ｒの代金を顧客の預金口座から引き落とせたときに、ＣＤ−Ｒの作製を開始してもよい。また顧客に送信した注文完了のＥメールに、上記ＣＤ−Ｒの代金とその振込先と発注番号とを記載しておき、事業者が顧客からの代金の振り込みとその発注番号を確認したとき、ＣＤ−Ｒの作製を開始してもよい。この場合、請求書の発行を不要にすることができる。
【００２２】
そして処理コンピュータ１８は顧客１の入れ替えた順序に原視聴ファイル１４ａを並べ替えた後に、ＣＤ−Ｒ／ＲＷドライブを制御して上記並べ替えた順序で原視聴ファイル１４ａをＣＤ−Ｒ２１に記録し、このＣＤ−Ｒ２１をファイナライズ処理してＣＤ化する。ここで、ファイナライズ処理とは、録音したＣＤ−Ｒ２１を一般のＣＤプレーヤで再生できるようにするための処理をいう。また処理コンピュータ１８は顧客１の入れ替えた順序に歌詞ファイル１６ａを並べ替えた後に、プリンタを制御して上記並べ替えた順序で所定の用紙に印刷し歌詞カード２２を作製する。更に処理コンピュータ１８は顧客情報用メモリ１２に記録された顧客の宛名１２ｂを取込み、プリンタを制御して顧客の宛名１２ｂをタックシール２３に印刷する。上記事業者は、上記ファイナライズ処理してＣＤ化したＣＤ−Ｒ２１と歌詞カード２２をジャケットに梱包した後に、このジャケットを封筒に入れ、更にこの封筒の表面にタックシール２３を貼付して顧客１宛に発送する。この封筒を受取った顧客１は自分の好みの楽曲を聴いて楽しむことができる。なお、顧客の注文した楽曲の数が多く、１枚のＣＤ−Ｒに収まらないときには、２枚組又は３枚組或いはそれ以上にしてもよい。
【００２３】
一方、顧客２も、上記顧客１と同様に、自分のパーソナルコンピュータ２ａからインターネット１９を介してウェブサーバ１３に接続し、試視聴用メモリ１１から自分の好む実演家Ａ〜Ｃを選択した後に、これらの実演家Ａ〜Ｃの実演する楽曲の試視聴ファイルＡ３、Ｂ１及びＣ２の楽曲名を選択してパーソナルコンピュータ２ａのモニタ上のカゴに入れる。次いで注文が出揃ったことを顧客２が意思表示し、顧客２は自分の好みに合わせて注文楽曲名１２ａの順序を入れ替えて注文し、更に顧客２の住所及び氏名からなる宛名等を記入する欄に自分の宛名１２ｂ等を記入すると、ウェブサーバ１３は顧客の宛名１２ｂ等の情報を注文楽曲名１２ａとともに顧客情報用メモリ１２に記録した後に、注文完了のＥメールを顧客２に送信する。
【００２４】
次に処理コンピュータ１８はウェブサーバ１３の顧客情報用メモリ１２に記憶された顧客情報を取込んで、請求書に顧客の宛名１２ｂを印刷し、事業者がこの請求書を郵便にて発送すると、この請求書を受取った顧客２はＣＤ−Ｒ２１購入のための代金を指定の金融機関に振り込み、事業者が上記代金の振り込みを確認してこの情報を処理コンピュータ１８に入力すると、処理コンピュータ１８は顧客情報用メモリ１２に記録された注文楽曲名１２ａに基づいて、データサーバ１７の原視聴用メモリ１４から注文楽曲の原視聴ファイル１４ａを取込むとともに、注文楽曲の歌詞ファイル１６ａを取込む。そして処理コンピュータ１８は顧客２の入れ替えた順序に原視聴ファイル１４ａを並べ替えた後に、この順序で原視聴ファイル１４ａをＣＤ−Ｒ２１に記録する。また処理コンピュータ１８は顧客２の入れ替えた順序に歌詞ファイル１６ａを並べ替えた後に、この順序で歌詞カード２２を作製する。更に処理コンピュータ１８は顧客情報用メモリ１２に記録された顧客の宛名１２ｂを取込み、顧客の宛名１２ｂをタックシール２３に印刷する。上記事業者は、上記ＣＤ−Ｒ２１と歌詞カード２２をジャケットに梱包した後に、このジャケットを封筒に入れ、更にこの封筒の表面にタックシール２３を貼付して顧客２宛に発送する。この封筒を受取った顧客２は自分の好みの楽曲を聴いて楽しむことができる。
【００２５】
＜第２の実施の形態＞
図４〜図６は本発明の第２の実施の形態を示す。図４において図１と同一符号は同一部品を示す。
この実施の形態では、複数の著作物が複数の実演家の実演する１又は２以上の動画付き楽曲であり、試視聴用メモリに複数の動画付き楽曲の試視聴ファイルがデータベースとして記録され、原視聴用メモリに複数の動画付き楽曲の原視聴ファイルがデータベースとして記録される。この実施の形態では、試視聴用メモリには、３組のアマチュアバンドである第１〜第３実演家が実演する動画付き楽曲の試視聴ファイルが３曲ずつ記録される。第１実演家の実演する３つの動画付き楽曲の試視聴ファイルをそれぞれＸ１〜Ｘ３とし、第２実演家の実演する３つの動画付き楽曲の試視聴ファイルをそれぞれＹ１〜Ｙ３とし、第３実演家の実演する３つの動画付き楽曲の試視聴ファイルをそれぞれＺ１〜Ｚ３とする。ここで、動画付き楽曲とは、演奏している演奏家のライブ映像等の動画を見ながら聴くことのできる楽曲をいう。また上記試視聴ファイルは顧客が試しに聴くものであるため、動画付き楽曲の一部（魅力的な部分又は主旋律など）の実演のみが記録される。更に処理コンピュータ１８の制御出力には、動画付き楽曲の原視聴ファイル５４ａをＤＶＤ−Ｒ６１に記録するためのＤＶＤ−Ｒ／ＲＷドライブ（図示せず）と、印刷物を印刷するためのプリンタ（図示せず）が接続される。なお、この実施の形態では、記録媒体としてＤＶＤ−Ｒを挙げたが、ＤＶＤ−ＲＷ、ＤＶＤ−ＲＡＭ又はその他の記録媒体でもよい。上記以外は第１の実施の形態と同一に構成される。
【００２６】
このように構成された動画付き楽曲のＤＶＤ−Ｒをインターネットを介して販売するシステムの動作を図４〜図６に基づいて説明する。
顧客１は自分のパーソナルコンピュータ１ａからインターネット１９を介してウェブサーバ１３に接続した後に、好みのアマチュアバンドＸを選択し、そのアマチュアバンドＸの演奏する３つの動画付き楽曲の試視聴ファイルＸ１〜Ｘ３を順に選択して試聴する。このときウェブサーバ１３は顧客１の選択した動画付き楽曲の試視聴ファイルＸ１〜Ｘ３を試視聴用メモリ１１から取込んで、顧客１の選択した動画付き楽曲の一部（魅力的な部分又は主旋律など）の演奏を顧客１のパーソナルコンピュータ１ａにダウンロードして顧客１に試聴させる。上記３つの動画付き楽曲の実演を試聴した顧客１は上記３つの楽曲のうち好みの動画付き楽曲の試視聴ファイルＸ１の楽曲名を選択してパーソナルコンピュータ１ａのモニタ上のカゴに入れる。
【００２７】
顧客１は他の好みのアマチュアバンドＹを選択し、そのアマチュアバンドＹの演奏する３つの動画付き楽曲を順に選んで試聴すると、ウェブサーバ１３は顧客１の選択した動画付き楽曲の試視聴ファイルＹ１〜Ｙ３を試視聴用メモリ１１から取込んで、顧客１の選択した動画付き楽曲の一部（魅力的な部分又は主旋律など）の演奏を顧客１のパーソナルコンピュータ１ａにダウンロードして顧客１に試聴させる。上記３つの動画付き楽曲の実演を試聴した顧客１は上記３つの動画付き楽曲のうち好みの動画付き楽曲の試視聴ファイルＹ２の楽曲名を選択してパーソナルコンピュータ１ａのモニタ上のカゴに入れる。
【００２８】
顧客１は更に他の好みのアマチュアバンドＺを選択し、そのアマチュアバンドＺの演奏する３つの動画付き楽曲を順に選んで試聴すると、ウェブサーバ１３は顧客１の選択した動画付き楽曲の試視聴ファイルＺ１〜Ｚ３を試視聴用メモリ１１から取込んで、顧客１の選択した動画付き楽曲の一部（魅力的な部分又は主旋律など）の演奏を顧客１のパーソナルコンピュータ１ａにダウンロードして顧客１に試聴させる。上記３つの動画付き楽曲の実演を試聴した顧客１は上記３つの動画付き楽曲のうち好みの動画付き楽曲の試視聴ファイルＺ３の楽曲名を選択してパーソナルコンピュータ１ａのモニタ上のカゴに入れる。
【００２９】
以上で注文が出揃ったことを顧客１がモニタ上で意思表示したとき、ウェブサーバ１３は注文した動画付き楽曲名５２ａの一覧表をモニタに表示する。顧客１はこの一覧表を見て自分の好みに合わせて動画付き楽曲名５２ａの順序を入れ替えた後に、モニタ上の確認ボタンをクリックする。顧客１のこの操作によりウェブサーバ１３は上記動画付き楽曲を記録したＤＶＤ−Ｒ６１を注文するかどうかという質問をモニタ上に表示する。顧客１が注文ボタンをクリックすると、ウェブサーバ１３は顧客１の住所及び氏名からなる宛名等を記入する欄をモニタ上に表示する。顧客１はこれらの欄に自分の宛名１２ｂ等を記入した後に、注文ボタンを押すと、ウェブサーバ１３は顧客の宛名１２ｂ等の情報を注文した楽曲名５２ａとともに顧客情報用メモリ１２に記録した後に、注文完了のＥメールを顧客１に送信する。
【００３０】
同時に、処理コンピュータ１８はウェブサーバ１３の顧客情報用メモリ１２に記憶された顧客情報を取込み、プリンタを制御して請求書に顧客の宛名１２ｂを印刷する。本発明の販売システムを運営する事業者はこの請求書を郵便にて発送する。この請求書を受取った顧客１はＤＶＤ−Ｒ６１購入のための代金を指定の金融機関に振り込む。事業者が上記代金の振り込みを確認してこの情報を処理コンピュータ１８に入力すると、処理コンピュータ１８は顧客情報用メモリ１２に記録された動画付き楽曲名５２ａに基づいて、データサーバ１７の原視聴用メモリ１４から注文した動画付き楽曲の原視聴ファイル５４ａを取込むとともに、注文した動画付き楽曲の歌詞ファイル５６ａを取込む。そして処理コンピュータ１８は顧客１の入れ替えた順序に原視聴ファイル５４ａを並べ替えた後に、ＤＶＤ−Ｒ／ＲＷドライブを制御して上記並べ替えた順序で原視聴ファイル５４ａをＤＶＤ−Ｒ６１に記録し、このＤＶＤ−Ｒ６１をファイナライズ処理してＤＶＤ化する。ここで、ファイナライズ処理とは、録画及び録音したＤＶＤ−Ｒ６１を一般のＤＶＤプレーヤで再生できるようにするための処理をいう。また処理コンピュータ１８は顧客１の入れ替えた順序に歌詞ファイル５６ａを並べ替えた後に、プリンタを制御して上記並べ替えた順序で所定の用紙に印刷しブックレット６２を作製する。更に処理コンピュータ１８は顧客情報用メモリ１２に記録された顧客の宛名１２ｂを取込み、プリンタを制御して顧客の宛名１２ｂをタックシール２３に印刷する。上記事業者は、上記ファイナライズ処理してＤＶＤ化したＤＶＤ−Ｒ６１とブックレット６２をジャケットに梱包した後に、このジャケットを封筒に入れ、更にこの封筒の表面にタックシール２３を貼付して顧客１宛に発送する。この封筒を受取った顧客１は自分の好みの楽曲を聴いて楽しむことができる。
【００３１】
一方、顧客２も、上記顧客１と同様に、自分のパーソナルコンピュータ２ａからインターネット１９を介してウェブサーバ１３に接続し、試視聴用メモリ１１から自分の好む実演家Ｘ〜Ｚを選択した後に、これらの実演家Ｘ〜Ｚの実演する楽曲の試視聴ファイルＸ３、Ｙ１及びＺ２の動画付き楽曲名を選択してパーソナルコンピュータ２ａのモニタ上のカゴに入れる。次いで注文が出揃ったことを顧客２が意思表示し、顧客２は自分の好みに合わせて注文楽曲名５２ａの順序を入れ替えて注文し、更に顧客２の住所及び氏名からなる宛名等を記入する欄に自分の宛名１２ｂ等を記入すると、ウェブサーバ１３は顧客の宛名１２ｂ等の情報を注文楽曲名５２ａとともに顧客情報用メモリ１２に記録した後に、注文完了のＥメールを顧客２に送信する。
【００３２】
次に処理コンピュータ１８はウェブサーバ１３の顧客情報用メモリ１２に記憶された顧客情報を取込んで、請求書に顧客の宛名１２ｂを印刷し、事業者がこの請求書を郵便にて発送すると、この請求書を受取った顧客２はＤＶＤ−Ｒ６１購入のための代金を指定の金融機関に振り込み、事業者が上記代金の振り込みを確認してこの情報を処理コンピュータ１８に入力すると、処理コンピュータ１８は顧客情報用メモリ１２に記録された動画付き楽曲名５２ａに基づいて、データサーバ１７の原視聴用メモリ１４から注文した動画付き楽曲の原視聴ファイル５４ａを取込むとともに、注文した動画付き楽曲の歌詞ファイル５６ａを取込む。そして処理コンピュータ１８は顧客２の入れ替えた順序に原視聴ファイル５４ａを並べ替えた後に、この順序で原視聴ファイル５４ａをＤＶＤ−Ｒ６１に記録する。また処理コンピュータ１８は顧客２の入れ替えた順序に歌詞ファイル５６ａを並べ替えた後に、この順序でブックレット６２を作製する。更に処理コンピュータ１８は顧客情報用メモリ１２に記録された顧客の宛名１２ｂを取込み、顧客の宛名１２ｂをタックシール２３に印刷する。上記事業者は、上記ＤＶＤ−Ｒ６１とブックレット６２をジャケットに梱包した後に、このジャケットを封筒に入れ、更にこの封筒の表面にタックシール２３を貼付して顧客２宛に発送する。この封筒を受取った顧客２は自分の好みの楽曲を聴いて楽しむことができる。
【００３３】
なお、上記第１の実施の形態では、複数の著作物として楽曲を挙げ、上記第２の実施の形態では、複数の著作物として動画付き楽曲を挙げたが、静止画付き楽曲でもよい。この静止画付き楽曲の試視聴ファイルは試視聴用メモリに記録され、静止画付き楽曲の原視聴ファイルは原視聴用メモリに記録される。
また、上記第１の実施の形態では、処理コンピュータが楽曲の原視聴ファイルに対応する歌詞ファイルを歌詞用メモリから取込んで歌詞カードを作製し、上記第２の実施の形態では、処理コンピュータが動止画付き楽曲の原視聴ファイルに対応する歌詞ファイルを歌詞用メモリから取込んでブックレットを作製したが、処理コンピュータが静止画付き楽曲の原視聴ファイルに対応する歌詞ファイルを歌詞用メモリから取込んで歌詞カード又はブックレットを作製してもよい。
【図面の簡単な説明】
【００３４】
【図１】本発明第１実施形態の著作物の記録媒体の販売システムを示すブロック図である。
【図２】上記販売システムによるＣＤ−Ｒの購入手順を示すフローチャートである。
【図３】上記販売システムによるＣＤ−Ｒの販売手順を示すフローチャートである。
【図４】本発明の第２実施形態を示す図１に対応するブロック図である。
【図５】上記販売システムによるＤＶＤ−Ｒの購入手順を示すフローチャートである。
【図６】上記販売システムによるＤＶＤ−Ｒの販売手順を示すフローチャートである。
【符号の説明】
【００３５】
１，２  顧客
１ａ，２ａ  パーソナルコンピュータ（顧客用端末機）
１１  試視聴用メモリ
１１ａ，５１ａ  試視聴ファイル
１２  顧客情報用メモリ
１２ａ  楽曲名（著作物名）
１２ｂ  顧客の宛名
１３  ウェブサーバ
１４  原視聴用メモリ
１４ａ，５４ａ  原視聴ファイル
１６  歌詞用メモリ
１６ａ，５６ａ  歌詞ファイル
１７  データサーバ
１８  処理コンピュータ
１９  インターネット
２１  ＣＤ−Ｒ（記録媒体）
２２  歌詞カード（歌詞印刷物）
２３  タックシール（宛名表示部材）
５２ａ  動画付き楽曲名（著作物名）
６１  ＤＶＤ−Ｒ（記録媒体）
６２  ブックレット（歌詞印刷物）
【図１】
2005190371.tif 000003
【図２】
2005190371.tif 000004
【図３】
2005190371.tif 000005
【図４】
2005190371.tif 000006
【図５】
2005190371.tif 000007
【図６】
2005190371.tif 000008
【手続補正書】
【提出日】平成16年1月5日(2004.1.5)
【手続補正１】
【補正対象書類名】図面
【補正対象項目名】図５
【補正方法】変更
【補正の内容】
【図５】
2005190371.tif 000009